(57)【要約】【課題】磁石付水準器を容易に保持できる水準器ホルダーを提供すること。【解決手段】水平度又は垂直度を測定するための測定用基準底部17に吸着固定用の磁石23が設けられている磁石付水準器３を着脱自在に保持可能な保持部４が、作業者Ｗが装着する腰ベルト１に取り付けられる取付部２に設けられている水準器ホルダーＡであって、前記保持部４に前記水準器３の前記磁石23が吸着する吸着部14が設けられている水準器ホルダー。【選択図】図２
2019197041.tif 000002
【特許請求の範囲】
【請求項１】
水平度又は垂直度を測定するための測定用基準底部に吸着固定用の磁石が設けられている磁石付水準器を着脱自在に保持可能な保持部が、作業者が装着する腰ベルトに取り付けられる取付部に設けられている水準器ホルダーであって、前記保持部に前記水準器の前記磁石が吸着する吸着部が設けられていることを特徴とする水準器ホルダー。
【請求項２】
前記保持部は、前記水準器を作業者が手で上部開口部から背側部に沿わせて保持側部間にスライド挿入するか、正面開口部から保持側部間に押し込み挿入して背側部に沿わせるか、若しくは水準器の一端部を支点にして保持側部間に倒し回動挿入して背側部に沿わせることで水準器が収納保持されるように構成されていて、この保持部の保持側部若しくは背側部に前記水準器の前記磁石が吸着する前記吸着部が設けられていることを特徴とする請求項１記載の水準器ホルダー。
【請求項３】
前記保持部は、前記水準器の測定用基準底部を沿わせる保持側部と、測定用基準底部に隣接し測定用気泡管が表出している水準器の前面部若しくは後面部を沿わせる背側部とを有し、前記保持側部が前記背側部の端部に付設されて構成されており、前記保持側部は、内部が空洞状に形成されてこの空洞部内に金属板が内装され、この保持側部に内装されている金属板が、前記背側部に前記水準器の前面部若しくは後面部を沿わせつつ保持側部に水準器の測定用基準底部を沿わせた際に前記磁石が吸着する前記吸着部として構成されていることを特徴とする請求項１，２のいずれか１項に記載の水準器ホルダー。
【発明の詳細な説明】
【技術分野】
【０００１】
本発明は、作業者が腰ベルトに掛止め装着して使用する水準器ホルダーに関するものである。
【背景技術】
【０００２】
水準器を携帯できるツールホルダーとしては、従来、実用新案登録第３０９８３０５号（特許文献１）に示されるものがある。
【０００３】
この特許文献１を簡単に説明すると、作業者が装着する腰ベルトに取付け可能な取付部に、ツールを掛止め可能なカラビナが付設されて成る汎用のツールホルダーであり、シャックルなどの掛止部を具備する水準器であれば、掛止部をカラビナに掛止めて携帯することも可能である。
【先行技術文献】
【特許文献】
【０００４】
【特許文献１】実用新案登録第３０９８３０５号公報
【発明の概要】
【発明が解決しようとする課題】
【０００５】
上記特許文献１のように、水準器も掛止めて携帯可能な汎用ツールホルダーは従来から実施されているが、水準器専用設計の携帯用ホルダーはこれまでにない。
【０００６】
本発明は、この点、水準器専用であって、測定用基準底部に吸着固定用の磁石が設けられている磁石付水準器を、その磁石を利用することで容易に保持できる実用性に優れた水準器ホルダーを提供するものである。
【課題を解決するための手段】
【０００７】
添付図面を参照して本発明の要旨を説明する。
【０００８】
水平度又は垂直度を測定するための測定用基準底部17に吸着固定用の磁石23が設けられている磁石付水準器３を着脱自在に保持可能な保持部４が、作業者Ｗが装着する腰ベルト１に取り付けられる取付部２に設けられている水準器ホルダーＡであって、前記保持部４に前記水準器３の前記磁石23が吸着する吸着部14が設けられていることを特徴とする水準器ホルダーに係るものである。
【０００９】
また、前記保持部４は、前記水準器３を作業者Ｗが手で上部開口部22から背側部21に沿わせて保持側部13間にスライド挿入するか、正面開口部11から保持側部13間に押し込み挿入して背側部21に沿わせるか、若しくは水準器３の一端部を支点にして保持側部13間に倒し回動挿入して背側部21に沿わせることで水準器３が収納保持されるように構成されていて、この保持部４の保持側部13若しくは背側部21に前記水準器３の前記磁石23が吸着する前記吸着部14が設けられていることを特徴とする請求項１記載の水準器ホルダーに係るものである。
【００１０】
また、前記保持部４は、前記水準器３の測定用基準底部17を沿わせる保持側部13と、測定用基準底部17に隣接し測定用気泡管16が表出している水準器３の前面部若しくは後面部を沿わせる背側部21とを有し、前記保持側部13が前記背側部21の端部に付設されて構成されており、前記保持側部13は、内部が空洞状に形成されてこの空洞部26内に金属板14が内装され、この保持側部13に内装されている金属板14が、前記背側部21に前記水準器３の前面部若しくは後面部を沿わせつつ保持側部13に水準器３の測定用基準底部17を沿わせた際に前記磁石23が吸着する前記吸着部14として構成されていることを特徴とする請求項１，２のいずれか１項に記載の水準器ホルダーに係るものである。
【発明の効果】
【００１１】
本発明は上述のように構成したから、保持部に磁石付水準器を保持するだけで、保持部の吸着部に水準器の磁石が吸着して水準器を保持部に対し脱落しにくい安定状態で保持でき、保持部に保持された水準器は、作業者が磁石の吸着力以上の力で水準器を引っ張るだけの簡易操作で保持部から取り外し可能となる極めて実用性に優れた水準器ホルダーとなる。
【００１２】
また、請求項２記載の発明においては、磁石付水準器を簡単な操作で保持できる吸着部付の保持部を、簡易構成にして容易設計実現可能となる一層実用性に優れた構成の水準器ホルダーとなる。
【００１３】
また、請求項３記載の発明においては、保持側部と背側部とで磁石付水準器を安定的に保持できる保持部の構成、並びに吸着部を有する保持側部を簡易構成にして容易に設計実現可能となる一層実用性に優れた構成の水準器ホルダーとなる。
【図面の簡単な説明】
【００１４】
【図１】実施例１を示す斜視図である。
【図２】実施例１の保持部に水準器を収納しようとする様子を示す斜視図である。
【図３】実施例１の保持部に水準器を収納しようとする状態から、保持部に水準器が収納保持された状態に至るまでの作動を示す説明平面図である。
【図４】実施例１の使用状態を示す概略説明斜視図である。
【図５】実施例１の使用状態を示す説明側面図である。
【図６】図４，図５の使用状態から、閉止用穴部より落下防止コードの連結環を外してベルト掛部の下部開放部を開いた状態を示す説明側面図である。
【図７】実施例１の保持部に対して、その上部開口部から水準器をスライド挿入収納しようとする様子を示す説明正面図である。
【図８】実施例２を示す斜視図である。
【図９】実施例２を示す、保持部に水準器を保持した状態の斜視図である。
【図１０】実施例３を示す斜視図である。
【図１１】実施例３の保持部を示す説明分解斜視図である。
【図１２】腰ベルトに装着した実施例３の保持部に、水準器を保持しようとする様子を示す保持側部を切り欠いた説明正面図である。
【図１３】実施例３の使用状態を示す斜視図である。
【図１４】実施例３の使用状態を示す保持側部を切り欠いた説明正面図である。
【図１５】実施例３の使用状態における保持部の説明平断面図である。
【発明を実施するための形態】
【００１５】
好適と考える本発明の実施形態を、図面に基づいて本発明の作用を示して簡単に説明する。
【００１６】
本発明の水準器ホルダーＡは、取付部２を介して作業者Ｗが装着している腰ベルト１に取付けできる。そして、水準器ホルダーＡの保持部４に、水平度又は垂直度を測定するための測定用基準底部17に吸着固定用の磁石23が設けられている磁石付水準器３を着脱自在に保持して水準器３を携帯可能である。
【００１７】
また、保持部４に磁石付水準器３を保持すると、保持部４に設けられている吸着部14に水準器３の前記磁石23が吸着して、水準器３が保持部４に対し脱落しにくい安定状態で保持されることとなる。
【００１８】
保持部４に保持されている水準器３を使用したい時は、作業者Ｗが磁石23の吸着部14への吸着力以上の力で水準器３を引っ張ることにより保持部４から水準器３を取り外すことができる。
【実施例１】
【００１９】
本発明の具体的な実施例１について図１〜図７に基づいて説明する。
【００２０】
本実施例の水準器ホルダーＡは、作業者Ｗが装着する腰ベルト１に取り付けられる取付部２に、水準器３を着脱自在に保持可能な保持部４が設けられている。
【００２１】
ここで、本実施例の水準器３を簡単に説明すると、図２，図７に示すように、やや厚みのある横長方形板状の器体15に、この器体15の外部から視認可能な複数の測定用気泡管16が設けられている。
【００２２】
また、この器体15は、最も広い面積を有している対向面部が前面部と後面部となるように構成され、この器体15の前後面部の外側から視認可能となるようにして複数（図面は三個）の前記測定用気泡管16が器体15に設けられている（器体15の前後面部に開口窓が形成され、この開口窓から測定用気泡管16が表出して器体15の前後面部の外方から視認可能となるように構成されている。）。
【００２３】
また、この水準器３は、器体15の前面部及び後面部と直交状態に隣接している下面部が測定用基準底部17として構成され、この測定用基準底部17を測定物にあてがうことで水平度，垂直度及び斜度を測定可能に構成されている（水平度，垂直度及び斜度を測定可能な前記測定用気泡管16を具備している。）。
【００２４】
また、この測定用基準底部17には、この測定用基準底部17を測定物に吸着させるための磁石23が設けられている。具体的には、磁石23は、図示省略の磁石体の両側に二枚の金属板（ヨーク）が設けられた構成とされ、この磁石23が器体15内の長手方向の中ほどに内装されていると共に、二枚の前記金属板の端部が、測定用基準底部17に貫通形成された磁石露出孔24からこの測定用基準底部17と略面一状態で露出するように設けられている。
【００２５】
また、この器体15の長手方向の両端部には、カラビナタイプの工具ホルダーに掛止めたり、落下防止コード８の連結環９を掛止めたりすることが可能なシャックル18が設けられている。
【００２６】
また、図示した落下防止コード８について簡単に説明すると、伸縮可能な合成樹脂製のコード部19の両端部に連結環９が設けられているものが採用されている（図４参照）。
【００２７】
以下、本実施例を具体的に説明する。
【００２８】
本実施例の水準器ホルダーＡの取付部２は、前記腰ベルト１に掛止めて取付可能なベルト掛部２に構成されている。
【００２９】
このベルト掛部２は、例えば合成樹脂製であって、図１，図２，図５，図６に示すように、上部に折り返し部を有し下部が開放する側面視逆Ｕ字状の板状体に構成（一体成形）され、下部開放部５から前記腰ベルト１が挿入されるようにして腰ベルト１に上方から掛止可能に構成されている。
【００３０】
また、このベルト掛部２の前後の遊離下端部には、双方にリング状突片20が設けられ（一体成形され）ていて、この前後双方のリング状突片20の穴部６が近接若しくは重合（図面は近接）されることによって閉止用穴部７が形成されるように構成されている（図１参照）。尚、リング状突片20を設けることなく、ベルト掛部２の前後の遊離下端部の双方に貫通穴を形成してこの貫通穴が前記穴部６として構成されていても良い。
【００３１】
また、ベルト掛部２は、常態で前記閉止用穴部７が形成される側面視逆Ｕ字形態（前後の穴部６が近接配設する形態）に構成されていて、前後の遊離下端部を互いに離反するように撓ませる（弾性変形させる）ことで、前記下部開放部５を広く開くことができるように構成されている。
【００３２】
また、このベルト掛部２には、その前後の内面の双方に、このベルト掛部２を前記腰ベルト１に掛止めた際にこの腰ベルト１の下方に位置して腰ベルト１からの抜脱を阻止する抜脱阻止用突起部10が設けられている。
【００３３】
更に詳しくは、ベルト掛部２の前後の対向内面の双方に、その横幅いっぱいに表出する横長凸条10が設けられ（一体成形され）ていて、この横長凸条10が前記抜脱阻止用突起部10として構成されている。
【００３４】
また、ベルト掛部２の後側（作業者Ｗに沿わせる側）の内面に設けられている抜脱阻止用突起部10は、ベルト掛部２の前側の内面に設けられている抜止阻止用突起部10より上方に配置されており、前記腰ベルト１に掛止められたこのベルト掛部２の遊離下端部を互いに離間するように撓ませて前記下部開放部５を開くことにより、前記腰ベルト１を前記上下の抜脱阻止用突起部10が乗り越えるようにして前記下部開放部５から抜脱させることができてこのベルト掛部２を前記腰ベルト１から外すことができるように構成されている（図６参照）。尚、この抜脱阻止用突起部10は、ベルト掛部２の前後の内面のいずれか一方にだけ設けられていても良い。
【００３５】
本実施例は、前記保持部４に水準器３を保持した際、この水準器３のシャックル18に一端の連結環９が連結されて水準器３に装着されている前記落下防止コード８の他端の連結環９を前記閉止用穴部７に連結することにより、前記ベルト掛部２の前記下部開放部５が閉止状態となって前記抜脱阻止用突起部10が前記腰ベルト１より上方へ移動できず、本水準器ホルダーＡの腰ベルト１からの抜脱が阻止されるように構成されており（図４，図５参照）、閉止用穴部７から落下防止コード８の他端の連結環９の連結を外し、前記腰ベルト１に掛止められたこのベルト掛部２の遊離下端部を互いに離間するように撓ませて前記下部開放部５を開くことにより、前記腰ベルト１を前記抜脱阻止用突起部10が乗り越えるようにして前記下部開放部５から抜脱させることができて、このベルト掛部２を前記腰ベルト１から外すことができるように構成されている（図６参照）。
【００３６】
本実施例の水準器ホルダーＡの保持部４は、前記ベルト掛部２とは別部品で構成されてベルト掛部２に取付けられている。
【００３７】
また、この保持部４は、上部開口部22と、正面開口部11と、この上部開口部22あるいは正面開口部11を介して前記水準器３の長手方向の一端部を挿入してこの一端部を支持可能な受底部12と、この受底部12に一端部を支持した水準器３が介在される左右一対の保持側部13とを備えた収納部４で構成されている。
【００３８】
具体的には、保持体４は、例えば合成樹脂製であって、図１〜図３に示すように、前記水準器３の器体15の前後面部（前記測定用基準底部17と直交状態に隣接する対向面部）のいずれか一面を沿設させる縦長方形板状の背側部21（背板部）と、この背側部21の左右両端部から背側部21の前面と直交する前方に突設して，水準器３の前記測定用基準底部17とこの測定用基準底部17の反対側面とを沿設させながら水準器３を介在させる側板部13とから成る平面視コ字状体に構成（一体成形）されており、この左右の側板部13が前記保持側部13として構成され、左右の保持側部13の突出先端（前端）間の開口部が前記正面開口部11として構成され、左右の保持側部13の上端間の開口部が前記上部開口部22として構成されている。
【００３９】
また、この左右の保持側部13は、前記水準器３の板厚方向の寸法より大きい前方突出幅寸法を有して、この左右の保持側部13間に、前記測定用基準底部17を横に向けて縦長の態様とした水準器３を挿入し介在（収納）させると、左右の保持側部13の突出先端が水準器３（の作業者Ｗに対し外側に配設している前面部若しくは後面部）より前方にまで突出配設して、水準器３の保護機能をも発揮するように構成されている。
【００４０】
また、さらにこの左右の保持側部13は、夫々の下端が対向内側に直角に折曲された形状に構成（一体成形）されていて、この折曲下端部の上面が前記受底部12として構成されている。即ち、本実施例の受底部12は、左右二箇所に設けられて、この二箇所の受底部12で水準器３の長手方向の一端部を支持して左右の保持側部13間に介在収納可能に構成され、この際左右の受底部12間に空間部を有することにより、図示したような端部にシャックル18を具備する水準器３も、この空間部でシャックル18を逃げつつ水準器３端部を支持可能となるように構成されている。
【００４１】
このように構成した本実施例の保持部４は、測定用基準底部17を横に向けて縦長の態様とした前記水準器３を、作業者Ｗが手で前記上部開口部22から背側部21に沿わせて左右の保持側部13間（前記収納部４内）にスライド挿入（図７参照）して介在させたり、前記正面開口部11から左右の保持側部13間に押し込み挿入して背側部21に沿わせたり、正面開口部11を介して水準器３の一端部を挿入してこの一端部を前記受底部12に押し付け、この受底部12に支持した水準器３の一端部を支点にして、水準器３を前記収納部４に前記倒し回動挿入（図２，図３参照）して背側部21に沿わせたりすることによって水準器３を保持し得るように構成されている。
【００４２】
また、本実施例の保持部４の前記ベルト掛部２への取付構造は、前記背側部21の後面が前記ベルト掛部２の前側遊離板部の前面に重合状態に付設されている。
【００４３】
また、本実施例は、前記保持部４に、この保持部４に保持した前記水準器３の磁石23が吸着する吸着部14が設けられている。
【００４４】
具体的には、左右の前記保持側部13の、夫々の対向外側面の上下方向中ほどに図示省略の収容凹部が設けられ（一体成形され）、この収容凹部に、この収容凹部と合致する形態であって前記磁石23が吸磁止着可能な金属板14（鉄板）が嵌合固定されていて、この金属板14が前記吸着部14として構成されている。尚、吸着部14は、磁石が採用されていても良い。
【００４５】
即ち、この吸着部14は、水準器３の磁石23（測定用基準底部17）と相対する前記左右の保持側部13の対向内側面に露出せずに、保持側部13の内側面を通して間接的に磁石23の磁力が及んで吸磁止着されるように構成されている。
【００４６】
また、左右の保持側部13の双方に吸着部14が設けられていることにより、水準器３の測定用基準底部17を左右の保持側部13のどちらに対して沿わせて保持部４に保持しても（水準器３を前面部と後面部のどちらを前（外）向きにして保持部４に保持した場合でも）磁石23が吸着部14に吸着可能であって、水準器３が保持部４に対し脱落しにくい安定状態で保持されるように構成されている。
【００４７】
保持部４に保持されている水準器３を使用したい時は、作業者Ｗが磁石23の吸着部14への吸着力以上の力で水準器３を引っ張ることにより保持部４から水準器３を取り外すことができる。
【００４８】
図中符号25は、前記保持部４に前記上部開口部22から水準器３を作業者Ｗが手でスライド挿入する際に水準器３のスライドをガイドするガイド凸条であって、左右の前記保持側部13の対向内側面と、前記背側部21の正面開口部11側の前面とに多数並設状態に設けられ（一体成形され）ている。
【実施例２】
【００４９】
本発明の具体的な実施例２について図８，図９に基づいて説明する。
【００５０】
本実施例は、前記吸着部14の構成が前記実施例１とは異なる。
【００５１】
具体的には、本実施例の吸着部14は、前記実施例１と同様に金属板14が採用されているが、この金属板14が前記保持部４の前記保持側部13にではなく、前記背側部21に設けられている場合である。
【００５２】
図示した水準器３は、器体15に内装されている磁石23の磁力が、器体15の前面部及び後面部を介して器体15外部へも及んでいるので、本実施例のように背側部21に吸着部14があっても、この背側部21に水準器３の前面部若しくは後面部を沿設させると、吸着部14に水準器３の磁石23が吸着可能である。
【００５３】
背側部21に吸着部14がある本実施例の場合、前記実施例１に比して吸着部14への吸磁力は劣るものとなるが、保持部４へ水準器３を収納状態に保持する保持力としては十分な吸磁力が得られていることが出願人の試作実験により確認されており、且つ吸磁力が劣る分、実施例１に比して保持部４からの水準器３の取り外し作業が軽い力で容易に行われる。
【００５４】
また、本実施例は、前記背側部21が前記ベルト掛部２の前側として機能するように（ベルト掛部２の前側が背側部21がとなるように）構成され、この背側部21の下部に前記リング状突片20が設けられている。
【００５５】
また、本実施例の保持部４は、前記保持側部13の下端に加えて前端も対向内側に直角に折曲された形状に構成（一体成形）されていて、この左右の保持側部13間に正面開口部11を介しては水準器３を挿入することができず、前記上部開口部22から前記背側部21に沿わせて左右の保持側部13間（前記収納部４内）にスライド挿入することで保持できるように構成されている。
【００５６】
また、本実施例の場合、ガイド凸条25は、左右の前記保持側部13の対向内側面には設けられておらず、前記背側部21の正面開口部11側の前面の前記吸着部14を挟んだ左右二箇所にだけ設けられている。
【００５７】
他の構成は前記実施例１と同様である（前記実施例１と同等の構成は、図面に同符号を付すことで詳しく説明することは省略する。）。
【実施例３】
【００５８】
本発明の具体的な実施例３について図１０〜図１５に基づいて説明する。
【００５９】
本実施例の水準器ホルダーＡは、図１０に示すように、前記ベルト掛部２と前記保持部４とが別部品で構成されていて、ベルト掛部２の下部に、このベルト掛部２に対し起伏回動自在に保持部４が枢着されている。
【００６０】
また、本実施例のベルト掛部２は、図１０に示すように、ベルト掛部２の後側（作業者Ｗに沿わせる側）の下端に腰ベルト１からの抜脱を阻止する反り片27が設けられ（一体成形され）ていて、この反り片27とベルト掛部２前側との間の隙間（下部開放部５）を介してベルト掛部２を腰ベルト１に掛止・掛脱し得るように構成されている。
【００６１】
また、このベルト掛部２には、その前後の内面の双方に、このベルト掛部２を前記腰ベルト１に掛止めた際にこの腰ベルト１の表裏面に圧接して腰ベルト１からの抜脱を防止する圧接突起部28が設けられている。
【００６２】
更に詳しくは、ベルト掛部２の前後の対向内面の双方に、横長凸条28が設けられ（一体成形され）ていて、この横長凸条28が前記圧接用突起部28として構成されている。
【００６３】
また、図１０に示すように、ベルト掛部２の後側の内面には、圧接用突起部28が上下に間隔を置いて二条（上下二段）設けられ、ベルト掛部２の前側の内面には、後側内面の上下の圧接用突起部28間に配するように圧接用突起部28が一条設けられていて、後側の圧接用突起部28と前側の圧接用突起部28とが噛合状態で腰ベルト１の表裏面に圧接して適度な抜脱防止作用を発揮するように構成されており、前記腰ベルト１に掛止められたこのベルト掛部２の遊離下端部を互いに離間するように撓ませて前記下部開放部５を開いたり、圧接力より大きな力で腰ベルト１に対しベルト掛部２を掛脱したりすることにより、腰ベルト１を下部開放部５から抜脱させることができてこのベルト掛部２を前記腰ベルト１から外すことができるように構成されている。
【００６４】
尚、本実施例のベルト掛部２は、前記実施例１，２のようなリング状突片20を具備していない。
【００６５】
また、本実施例の保持部４は、前記実施例２と同タイプのものが採用されているが、背側部21の上部が実施例２よりも上方へ長く延設されていて、この背側部21の上部が枢着軸29を介して前記ベルト掛部２の下部に枢着されている（図１０，図１２，図１３及び図１４参照）。
【００６６】
また、この背側部21の下部には、リング状突片31が垂下状態に設けられ（一体成形され）ていて、このリング状突片31の穴部32に、水準器３のシャックル18に一端の連結環９が連結されて水準器３に装着されている落下防止コード８の他端の連結環９を連結し得るように構成されている（図１２〜図１４参照）。
【００６７】
また、本実施例の保持部４は、保持側部13と左右一対の背側部21とが別部品で構成されていて、保持側部13が背側部21の両端部に付設されて構成されている。
【００６８】
具体的には、保持側部13は、図１１に示すように内部が空洞状に形成されていると共に、背側部21に臨設する側（背側部21に付設する側）が開口形成されており、一方、背側部21の前面（作業者Ｗに沿わせる側と反対側の面）の左右両端部に差込片30が突設され（一体成形され）ていて、この差込片30を保持側部13の開口から空洞部26に差込むと共に、接着などの適宜な止着手段で止着することにより背側部21の左右両端部に保持側部13が付設されている。
【００６９】
また、左右の保持側部13の夫々の空洞部26内には、背側部21に臨設する開口から金属板14が挿入されて内装され、この保持側部13に内装されている金属板14が、前記背側部21に前記水準器３の前面部若しくは後面部を沿わせつつ保持側部13に水準器３の測定用基準底部17を沿わせた際に前記磁石23が吸着する前記吸着部14として構成されている（図１１〜図１５参照）。
【００７０】
また、この空洞部26内には前記金属板14を支持する支持片が設けられていると共に、前記差込片30には、この差込片30を空洞部26に差込んだ際に金属板14を支持可能な切欠が設けられている。
【００７１】
即ち、前記実施例１と同様に、吸着部14は、水準器３の磁石23（測定用基準底部17）と相対する前記左右の保持側部13の対向内側面に露出せずに、保持側部13の内側面を通して間接的に磁石23の磁力が及んで吸磁止着されるように構成されている。
【００７２】
尚、本実施例の水準器３は、水平度及び垂直度を測定可能な複数（二個）の前記測定用気泡管16を具備すると共に、器体15の長手方向の一端部にだけシャックル18が設けられているものを図示している。
【００７３】
他の構成は前記実施例１と同様である（前記実施例１と同等の構成は、図面に同符号を付すことで詳しく説明することは省略する。）。
【００７４】
尚、本発明は、実施例１〜３に限られるものではなく、各構成要件の具体的構成は適宜設計し得るものである。
【符号の説明】
【００７５】
１  腰ベルト
２  取付部
３  水準器
４  保持部
11  正面開口部
13  保持側部
14  吸着部・金属板
16  測定用気泡管
17  測定用基準底部
21  背側部
22  上部開口部
23  磁石
26  空洞部
Ａ  水準器ホルダー
Ｗ  作業者
【図１】
2019197041.tif 000003
【図２】
2019197041.tif 000004
【図３】
2019197041.tif 000005
【図４】
2019197041.tif 000006
【図５】
2019197041.tif 000007
【図６】
2019197041.tif 000008
【図７】
2019197041.tif 000009
【図８】
2019197041.tif 000010
【図９】
2019197041.tif 000011
【図１０】
2019197041.tif 000012
【図１１】
2019197041.tif 000013
【図１２】
2019197041.tif 000014
【図１３】
2019197041.tif 000015
【図１４】
2019197041.tif 000016
【図１５】
2019197041.tif 000017